(57)【要約】    【課題】  正面に操作キーを有する本体筐体に対して、本体筐体の正面に対向する蓋体筐体を、本体筐体の正面を覆う閉位置と操作キーを露出させる開位置との間においてスライド自在に組付けて成り、本体筐体の正面に蓋体筐体と間隙を形成するスペーサを設けて成るスライド開閉式電子機器を対象とし、操作性の低下を未然に防止し得るとともに、外観形状の可及的なコンパクト化を達成することの可能な、スライド開閉式電子機器の提供を目的とするものである。    【解決手段】  本発明におけるスライド開閉式電子機器は、フレームと操作キーとを有するキーパッドを本体筐体の正面に設置するとともに、キーパッドのフレームと一体にスペーサを突出形成している。    【選択図】  図３
2008166992.tif 000002
【特許請求の範囲】
【請求項１】
正面に操作キーを有する本体筐体と、該本体筐体の前記正面に対向する蓋体筐体とを備え、前記本体筐体に対して前記蓋体筐体を、前記正面を覆う閉位置と前記操作キーを露出させる開位置との間においてスライド自在に組付けて成り、前記本体筐体と前記蓋体筐体との間に間隙を形成するスペーサを、前記本体筐体の前記正面に設けて成るスライド開閉式電子機器であって、
フレームと前記操作キーとを有するキーパッドを前記本体筐体の前記正面に設置するとともに、前記キーパッドの前記フレームと一体に前記スペーサを突出形成して成ることを特徴とするスライド開閉式電子機器。
【請求項２】
前記キーパッドは、キーラバーの表面に前記フレームと前記操作キーとを別体で設けて成ることを特徴とする請求項１記載のスライド開閉式電子機器。
【請求項３】
前記キーパッドは、フレームと操作キーとを一体に成形して成ることを特徴とする請求項１記載のスライド開閉式電子機器。
【請求項４】
前記キーパッドは、少なくとも前記フレームを前記スペーサと一体にウレタン樹脂材料から形成して成ることを特徴とする請求項１〜請求項３の何れか１つに記載のスライド開閉式電子機器。
【発明の詳細な説明】
【技術分野】
【０００１】
本発明は、正面に操作キーを有する本体筐体に対して、本体筐体の正面に対向する蓋体筐体を、本体筐体の正面を覆う閉位置と操作キーを露出させる開位置との間においてスライド自在に組付けて成り、本体筐体の正面に蓋体筐体と間隙を形成するスペーサを設けて成るスライド開閉式電子機器に関するものである。
【背景技術】
【０００２】
例えば、電子機器の一例である携帯電話機には、使用時における使い易さと携帯時のコンパクト化とを両立させる目的で、本体筐体と蓋体筐体とをスライド機構によって連結した、いわゆるスライド開閉式の携帯電話機が提供されている(例えば、特許文献１参照)。
【０００３】
図５〜図７に示す如く、従来のスライド開閉式の携帯電話機Ａは、操作キーＫ、Ｋ…および送話部Ｍ等を設けた本体筐体Ｂと、液晶表示部Ｄおよび受話部Ｒ等を設けた蓋体筐体Ｃとを備え、これら本体筐体Ｂと蓋体筐体Ｃとは、スライドユニットＵを介して開閉自在に連結されている。
【０００４】
スライドユニットＵは、一対のガイドレールＵｌを有するベースフレームＵｂにスライダＵｓを移動自在に組付けて成り、上記スライドユニットＵを介して本体筐体Ｂに連結された蓋体筐体Ｃは、図５(ａ)に示す如く本体筐体Ｂに重なって全体を覆う閉位置と、図５(ｂ)に示す如く本体筐体Ｂの操作キーＫ、Ｋ…等を露呈させる開位置との間をスライド移動する。
【０００５】
上記本体筐体Ｂにおける内ケースＢｉの正面パネル(正面)Ｂｐには、閉位置とした蓋体筐体Ｃとの間に所定の間隔を確保して、操作キー(キーパッド)Ｋ、Ｋ…等と蓋体筐体Ｃとの干渉を防止する目的で、耐摩耗性を有する材料から形成された一対のスペーサＳ、Ｓが、操作キーＫ、Ｋ…等を挟んだ左右の側部に取付けられている。
【０００６】
また、本体筐体Ｂの操作キーＫ、Ｋ…は、正面パネル(正面)Ｂｐの内面に取付けたキーラバーＲに設置され、正面パネル(正面)Ｂｐの所定位置に遊嵌している一方、本体筐体Ｂの内部に収容設置された回路基板Ｅには、上記操作キーＫ、Ｋ…に対応するドーム部Ｑｄを有するクリックドームパッドＱが実装されている。
【特許文献１】特開２００６−１６５８５４号公報
【発明の開示】
【発明が解決しようとする課題】
【０００７】
ところで、上述した携帯電話機Ａにおける一対のスペーサＳ、Ｓは、本体筐体Ｂの正面パネルＢｐにおける操作キーＫ、Ｋ…等を挟んだ左右側部に取付けらるため、正面パネルＢｐの左右にスペーサＳ、Ｓの取付箇所を確保することで、操作キーＫ、Ｋ…の設置スペースが狭くなってしまい、個々の操作キーＫ、Ｋ…が小型化されるために操作性の低下を招く問題があった。
【０００８】
また、上述した携帯電話機Ａにおいては、図７(ｂ)からも明らかなように、本体筐体Ｂの正面パネルＢｐに取付けられたスペーサＳと、正面パネルＢｐの内面に取付けられたキーラバーＲの一部とが、上記正面パネルＢｐを挟んで重なることとなり、スペーサＳをも含めた本体筐体Ｂの厚さ寸法、延いては携帯電話機Ａ全体の厚さ寸法が徒らに増加してしまう問題があった。
【０００９】
本発明は上記実状に鑑みて、操作性の低下を未然に防止し得るとともに、外観形状の可及的なコンパクト化を可能とした、スライド開閉式電子機器の提供を目的とするものである。
【課題を解決するための手段】
【００１０】
請求項１の発明に関わるスライド開閉式電子機器は、正面に操作キーを有する本体筐体と、該本体筐体の正面に対向する蓋体筐体とを備え、本体筐体に対して蓋体筐体を、正面を覆う閉位置と操作キーを露出させる開位置との間においてスライド自在に組付けて成り、本体筐体と蓋体筐体との間に間隙を形成するスペーサを、本体筐体の正面に設けて成るスライド開閉式電子機器であって、フレームと操作キーとを有するキーパッドを本体筐体の正面に設置するとともに、キーパッドのフレームと一体にスペーサを突出形成して成ることを特徴としている。
【００１１】
請求項２の発明に関わるスライド開閉式電子機器は、請求項１の発明に関わるスライド開閉式電子機器において、キーパッドがキーラバーの表面に別体のフレームと操作キーとを別体で設けて成ることを特徴としている。
【００１２】
請求項３の発明に関わるスライド開閉式電子機器は、請求項１の発明に関わるスライド開閉式電子機器において、キーパッドがフレームと操作キーとを一体に成形して成ることを特徴としている。
【００１３】
請求項４の発明に関わるスライド開閉式電子機器は、請求項１〜請求項３の何れか１つに記載された発明に関わるスライド開閉式電子機器において、キーパッドの少なくともフレームをスペーサと一体にウレタン樹脂材料から形成して成ることを特徴としている。
【発明の効果】
【００１４】
請求項１の発明に関わる電子機器によれば、本体筐体の正面に設置されるキーパッドと一体にスペーサを突出形成したことで、本体筐体の正面に別途スペーサの設置箇所を確保する必要がなく、もってキーパッドにおける操作キーが小型化を免れるために、不用意な操作性の低下を未然に防止することが可能となる。
【００１５】
また、請求項１の発明に関わる電子機器によれば、スペーサを一体に突出形成したキーパッドを本体筐体の正面に設置したことで、キーパッドの構成要素とスペーサとを本体筐体の正面(パネル)を挟んで設置していた従来構造に比べ、外観形状の可及的なコンパクト化、特に薄型化において大きな効果を奏することとなる。
【００１６】
請求項２の発明に関わる電子機器によれば、キーラバーにフレームと操作キーとを別体で設けて成るキーパッドを採用した電子機器においても、請求項１の発明に関わる電子機器と同じく、操作キーが小型化を免れることで操作性の低下を防止し得るとともに、外観形状の可及的なコンパクト化を達成することができる。
【００１７】
請求項３の発明に関わる電子機器によれば、フレームと操作キーとを一体に成形して成るキーパッドを採用した電子機器においても、請求項１の発明に関わる電子機器と同じく、操作キーが小型化を免れることで操作性の低下を防止し得るとともに、外観形状の可及的なコンパクト化を達成することができる。
【００１８】
さらに、請求項３の発明に関わる電子機器によれば、フレームと操作キーとを一体に成形して成るキーパッドを採用したことで、部品点数の削減に起因して構造の簡易化が為されるとともに、キーパッド自体の小型化により電子機器の更なるコンパクト化を達成することが可能となる。
【００１９】
請求項４の発明に関わる電子機器によれば、キーパッドのフレームと一体形成されるスペーサを、耐摩耗性の良好なウレタン樹脂材料から形成したことで、本体筐体に対する蓋体筐体のスムーズな開閉と、本体筐体と蓋体筐体との隙間の確保を長期間に亘って実現することができる。
【発明を実施するための最良の形態】
【００２０】
以下、実施例を示す図面に基づいて、本発明を詳細に説明する。  
図１〜図３は、電子機器の一態様である携帯電話機に本発明を適用した実施例を示しており、このスライド開閉式の携帯電話機１は、後述するキートップ(操作キー)１０ｋ、１０ｋ…および送話部２ｍ等を有する本体筐体２と、液晶表示部３ｄおよび受話部３ｒ等を有する蓋体筐体３とを備え、これら本体筐体２と蓋体筐体３とは、スライドユニット４を介して互いに開閉自在に連結されている。
【００２１】
スライドユニット４は、一対のガイドレール４ｇを有するベースフレーム４ｂと、該ベースフレーム４ｂに摺動自在に組み付けられたスライダ４ｓとを備え、このスライドユニット４を介して本体筐体２に連結された蓋体筐体３は、図１(ａ)に示す如く本体筐体２に重なって全体を覆う閉位置と、図１(ｂ)に示す如く本体筐体２のキートップ１０ｋ、１０ｋ…等を露呈させる開位置との間をスライドして移動する。
【００２２】
上記筐体本体２は、内側ケース２Ａと外側ケース２Ｂとを互いに組付けて成り、上記内側ケース２Ａの正面パネル(正面)２ｐにおいて、上記蓋体筐体３が開位置に在る場合に露呈する領域には、キートップ(操作キー)１０ｋ、１０ｋ…を備えたキーパッド１０が取り付けられている。
【００２３】
上記キーパッド１０は、シート状を呈するキーラバー１０ｒと、互いに別体から成る所定個数のキートップ１０ｋ、１０ｋ…と、これらキートップ１０ｋ、１０ｋ…を囲むフレーム１０ｆとを備え、上記キーラバー１０ｒの上にキートップ１０ｋ、１０ｋ…とフレーム１０ｆとを重ねて構成されている。
【００２４】
一方、本体筐体２に収容設置された回路基板１１には、キートップ１０ｋ、１０ｋ…に対応するドーム部１２ｄを有するクリックドームパッド１２が実装されており、筐体本体２における内ケース２Ａの正面パネル２ｐには、上記クリックドームパッド１２を露呈させる開口２ｏが形成されている。
【００２５】
上記キーパッド１０は、上記開口２ｏの縁部に形成された段付きの取付フランジ２ｆに取付けられ、本体筐体２における内ケース２Ａの正面パネル２ｐに固定されており、この状態において、キーパッド１０のフレーム１０ｆは、内ケース２Ａの正面パネル２ｐと面一に組付けられている。
【００２６】
また、上記キーパッド１０における左右縁部、詳しくはキーパッド１０のフレーム１０ｆにおける左右縁部には、それぞれ蓋体筐体３の開閉方向に沿って延在するスペーサ突起１０ｓ、１０ｓが、上記フレーム１０ｆと一体に形成されており、これら一対のスペーサ突起１０ｓ、１０ｓは、内ケース２Ａの正面パネル２ｐから所定の寸法だけ突出している。
【００２７】
また、上記スペーサ突起１０ｓ、１０ｓは、耐摩耗性の良好な材料の１つであるウレタン樹脂材料から形成されており、スペーサ突起１０ｓが一体形成されたキーパッド１０のフレーム１０ｆもウレタン樹脂材料から形成されている。
【００２８】
上記一対のスペーサ突起１０ｓ、１０ｓに蓋体筐体３が摺接することで、本体筐体２に対して蓋体筐体３をスムーズに開閉動作させることができ、また本体筐体２に対して蓋体筐体３を閉じた状態においては、一対のスペーサ突起１０ｓ、１０ｓによって、本体筐体２と蓋体筐体３との間に適正な間隙が画成されることとなる。
【００２９】
上述した構成の携帯電話機１においては、本体筐体２の正面２ｐに設置されるキーパッド１０と一体にスペーサ１０ｓ、１０ｓを突出形成したことで、図６及び図７の如く本体筐体Ｂの正面Ｂｐに別途スペーサＳの設置箇所を確保する必要がなく、もってキーパッド１０におけるキートップ１０ｋ、１０ｋ…が小型化を免れるために、不用意な操作性の低下が未然に防止されることとなる。
【００３０】
上述した構成の携帯電話機１においては、スペーサ１０ｓ、１０ｓを一体に突出形成したキーパッド１０を本体筐体２の正面２ｐに設置したことで、図７の如くキーラバーＲとスペーサＳとが本体筐体Ｂの正面Ｂｐを挟んで設置された従来構造に比べ、外観形状の可及的なコンパクト化、特に薄型化において大きな効果を奏することが可能となる。
【００３１】
また、上述した構成の携帯電話機１においては、キーパッド１０のフレーム１０ｆと一体形成されるスペーサ１０ｓ、１０ｓを、耐摩耗性の良好なウレタン樹脂材料から形成したことで、本体筐体２に対する蓋体筐体３のスムーズな開閉と、本体筐体２と蓋体筐体３との隙間の確保を長期間に亘って実現することが可能となる。
【００３２】
図４に示す携帯電話機１′のキーパッド２０は、所定個数のキートップ２０ｋ、２０ｋ…とフレーム２０ｆとが一体に成形されており、上記キーパッド２０におけるフレーム２０ｆの左右縁部には、それぞれスペーサ突起２０ｓ、２０ｓが一体に形成されている。
【００３３】
また、上記スペーサ突起２０ｓ、２０ｓは、耐摩耗性の良好な材料の１つであるウレタン樹脂材料から形成されており、スペーサ突起２０ｓが一体形成されたキーパッド２０のフレーム２０ｆ、およびキートップ２０ｋ、２０ｋ…もウレタン樹脂材料から形成されている。
【００３４】
さらに、上記キーパッド２０は、本体筐体２′における内ケース２Ａ′の正面パネル２ｐ′に固定されており、フレーム２０ｆは正面パネル２ｐ′と面一に組付けられ、一対のスペーサ突起２０ｓ、２０ｓは、正面パネル２ｐ′から所定の寸法だけ突出している。
【００３５】
なお、上述した携帯電話機１′においては、キーパッド２０の構成以外、図１〜図３に示した携帯電話機１と基本的に変わるところはないので、携帯電話機１と同一の作用を成す要素には、図１〜図３と同一の符号に′(ダッシュ)を附して説明は省略する。
【００３６】
上述した構成の携帯電話機１′においても、図１〜図３に示した携帯電話機１と同様に、キートップ２０ｋ、２０ｋ…が小型化を免れることで操作性の低下を未然に防止し得るとともに、外観形状の可及的なコンパクト化を達成することができ、またスペーサ２０ｓ、２０ｓを耐摩耗性の良好なウレタン樹脂材料から形成したことで、長期に亘って安定した性能を確保することができる。
【００３７】
さらに、上述した構成の携帯電話機１′においては、フレーム２０ｆとキートップ２０ｋ、２０ｋ…とを互いに一体に成形して成るキーパッド２０を採用したことで、部品点数が削減することによって構造の簡易化が為されるとともに、キートップ２０ｋ同士を互いに近接配置してキーパッド２０を小型化することにより、携帯電話機１′における外観形状の更なるコンパクト化をも達成することが可能となる。
【００３８】
なお、上述した何れの実施例においても、スペーサ突起(スペーサ)をウレタン樹脂材料から形成しているが、スライド開閉式電子機器における要求を満足する耐摩耗性を備えた材料であれば、実施例に挙げたウレタン樹脂材料以外の様々な材料を用いてスペーサ突起(スペーサ)を形成し得ることは言うまでもない。
【００３９】
また、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、正面に操作キーを有する本体筐体に対して蓋体筐体を開閉自在に構成して成る様々なスライド開閉式電子機器としても、本発明を極めて有効に適用し得ることは言うまでもない。
【図面の簡単な説明】
【００４０】
【図１】(ａ)および(ｂ)は、本発明に関わるスライド開閉式電子機器の一実施例である携帯電話機の閉状態および開状態を示す外観斜視図。
【図２】図１に示した携帯電話機の分解斜視図。
【図３】(ａ)は図１に示した携帯電話機における本体筐体の要部平面図、(ｂ)は(ａ)中の III−III 線断面図。
【図４】(ａ)は他の実施例の携帯電話機における本体筐体の要部平面図、(ｂ)は(ａ)中の IV−IV 線断面図。
【図５】(ａ)および(ｂ)は、従来のスライド開閉式の携帯電話機における閉状態および開状態を示す外観斜視図。
【図６】従来のスライド開閉式の携帯電話機における分解斜視図。
【図７】(ａ)は図５に示した携帯電話機における本体筐体の要部平面図、(ｂ)は(ａ)中の VII−VII 線断面図。
【符号の説明】
【００４１】
１…携帯電話機(スライド開閉式電子機器)、
２…本体筐体、
２Ａ…内ケース、
２ｐ…正面パネル(正面)、
２ｏ…開口、
２ｆ…取付フランジ、
３…蓋体筐体、
４…スライドユニット、
１０…キーパッド、
１０ｒ…キーラバー、
１０ｋ…キートップ(操作キー)、
１０ｆ…フレーム、
１０ｓ…スペーサ突起(スペーサ)。
【００４２】
１１…回路基板、
１２…クリックドームパッド、
２０…キーパッド、
２０ｋ…キートップ(操作キー)、
２０ｆ…フレーム、
２０ｓ…スペーサ突起(スペーサ)。
【図１】
2008166992.tif 000003
【図２】
2008166992.tif 000004
【図３】
2008166992.tif 000005
【図４】
2008166992.tif 000006
【図５】
2008166992.tif 000007
【図６】
2008166992.tif 000008
【図７】
2008166992.tif 000009